(57)【要約】【課題】遊技機に電源が投入された状態で誤ってコネクタが接続されても、制御基板類に取付けられた素子類を損傷させないようにすることである。【解決手段】コネクタＣ１  を構成する複数のコネクタピン（グランドピンＰ１  、電源ピンＰ２  、各信号ピンＰ３  ）は、オスピン（グランド用オスピンＰ１１、電源用オスピンＰ２１、各信号用オスピンＰ３１）と、該オスピンＰ１１，Ｐ２１，Ｐ３１が挿入されて導通するメスピン（グランド用メスピンＰ１２、電源用メスピンＰ２２、各信号用メスピンＰ３２）とから成り、前記コネクタＣ１  を介して制御基板Ｂ１  〜Ｂ６  が接続される遊技機で、複数のオスピンＰ１１，Ｐ２１，Ｐ３１と対応する複数のメスピンＰ１２，Ｐ２２，Ｐ３２との少なくとも一方を、コネクタＣ１  の着脱方向Ｅに沿ってずらして配置させる。【選択図】        図４
2004337475.tif 000002
【特許請求の範囲】
【請求項１】
コネクタを構成する複数のコネクタピンは、オスピンと、該オスピンが挿入されて導通するメスピンとから成り、前記コネクタを介して制御基板類が接続される遊技機であって、
複数のオスピンと対応する複数のメスピンとの少なくとも一方が、コネクタの着脱方向に沿ってずれて配置されていることを特徴とする遊技機。
【発明の詳細な説明】
【０００１】
【発明の属する技術分野】
本発明は、コネクタを構成する複数のコネクタピンが、オスピンと、該オスピンが挿入されて導通するメスピンとから成り、前記コネクタを介して制御基板類が接続される遊技機に関するものである。
【０００２】
【従来の技術】
本明細書では、遊技機の一例であるパチンコ機について説明する。図１及び図２に示されるように、パチンコ機の背面部には、遊技球（図示せず）を発射するための発射モータ５１、遊技球を貯留するためのタンク５２、遊技球を流すためのタンクレール５３、遊技球を賞球として払い出すための払出ユニット５４と、各種の制御基板Ｂ１  〜Ｂ６  が取付けられている。前記各種の制御基板Ｂ１  〜Ｂ６  とは、外部から投入された電源から各種の電圧を生成して他の基板に供給するための電源基板Ｂ１  、各入賞口からの入力を受け付けて抽選を行ったり、大当りの処理を行ったりするための主制御基板Ｂ２  、賞球を払い出すための払出制御基板Ｂ３  、前記主制御基板Ｂ２  からのコマンドにより音声の演出を行うための音声制御基板Ｂ４  、同じく発光の演出を行うためのランプ制御基板Ｂ５  、遊技球の発射を行うための発射制御基板Ｂ６  である。これらの制御基板Ｂ１  〜Ｂ６  のうち、電源基板Ｂ１  の下流側に配置される各制御基板Ｂ２  〜Ｂ６  には素子類が実装されていて、それらを作動するための電源は、各電源配線Ｗ１  により、前記電源基板Ｂ１  から電源中継端子板５５を介して供給される。また、主制御基板Ｂ２  からのコマンドは、各コマンド配線Ｗ２  によって送られる。前記各電源配線Ｗ１  及び各コマンド配線Ｗ２  は、コネクタＣ１  によって取付けられている。そして、本出願人は、遊技機用基板ユニットに関する特許を出願している（特許文献１参照）。なお、図１において、５６は、スイッチである。
【０００３】
前記パチンコ機において、上記した各制御基板Ｂ１  〜Ｂ６  、各コネクタＣ１  、各電源配線Ｗ１  及び各コマンド配線Ｗ２  は、その背面部に露出状態で取付けられている。このため、ホールの島台の内側の部分には、それらが乱雑状態で露出されている。この結果、玉噛み解消等のため、パチンコ機の内枠を開閉する際に、前記コネクタＣ１  が取付けられた電源配線Ｗ１  が他の部材に引っ掛かって、該コネクタＣ１  が抜けることがある。
【０００４】
ここで、図１２に示されるように、従来のコネクタＣ’では、各コネクタピン（グランドピンＰ１  、電源ピンＰ２  、各信号ピンＰ３  ）の導通位置が、コネクタＣ’の着脱方向Ｅに沿って同一位置に設けられている。このため、電源投入状態（電源の切り忘れ）のまま、コネクタＣ’を接続すると、その僅かな傾斜によって、グランドピンＰ１  よりも先に電源ピンＰ２  が導通することがあり、これが原因で下流側の制御基板Ｂ２  〜Ｂ６  上の素子類に過電流が流れて損傷されることがあった。
【０００５】
【特許文献１】
特開２００１−９６０３３号公報
【０００６】
【発明が解決しようとする課題】
本発明は、上記した不具合に鑑み、電源投入状態でコネクタを接続する場合であっても、グランドピンが電源ピンよりも先に導通されるようにすることを課題としている。
【０００７】
【課題を解決するための手段】
上記課題を解決するための第１解決手段は、コネクタを構成する複数のコネクタピンは、オスピンと、該オスピンが挿入されて導通するメスピンとから成り、前記コネクタを介して制御基板類が接続される遊技機であって、複数のコネクタピンを構成する電源ピンとグランドピンとは、コネクタの接続時にグランドピンが最初に接続されるように、複数のオスピンと対応する複数のメスピンとの少なくとも一方が、コネクタの着脱方向に沿ってずれて配置されていることを特徴としている。
【０００８】
第１解決手段によれば、コネクタの接続時においてグランドピンが電源ピンよりも先に導通されるので、制御基板類に実装されている素子類には、定格電圧が印加される。この結果、従来のコネクタの接続時において、電源ピンがグランドピンよりも先に導通されることにより、グランドピンの導通部を含まない回路が瞬間的に形成されて、この回路内の素子類に過電流が流れて素子類が破壊される問題を解消できる。
【０００９】
また、第２解決手段は、第１解決手段において、複数のオスピンは、コネクタの着脱方向に沿って同一位置に配置されていると共に、対応する複数のメスピンは、前記着脱方向に沿ってずれて配置されていることを特徴としている。第２解決手段によれば、露出している複数のオスピンを、その着脱方向に沿ってずらして配置すると、最も突出して配置されたピンが折損され易くなる。しかし、第２解決手段によれば、複数のオスピンの先端位置は、コネクタの着脱方向に沿って同一であり、複数のメスピンが前記着脱方向に沿ってずれているため、前記オスピンを折損させるおそれがなく、特定のコネクタピンを時間差をもって導通させることができる。
【００１０】
また、第３解決手段は、第１解決手段において、コネクタ本体の先端面、及びこれと密着する相手部材の先端面は、複数のオスピンの先端位置に対応して、コネクタの着脱方向と直交する面に対して傾斜していることを特徴としている。第３解決手段によれば、コネクタ本体の先端面の傾斜配置によって、コネクタの左右配置の識別が可能となる。この結果、コネクタを左右反転させた誤った姿勢で挿入しようとして挿入不能となる事態を未然に防止でき、複数のオスピンの損傷、折損を防止できる。
【００１１】
また、第４解決手段は、第１ないし第３解決手段において、グランドピン、信号ピン、電源ピンの３種類で構成される複数のオスピン又はこれと対応する複数のメスピンの少なくとも一方は、コネクタの接続時に各コネクタピンが前記順序で接続されるように、コネクタの着脱方向に沿ってずれて配置されていることを特徴としている。第４解決手段によれば、グランドピン及び信号ピンの双方が接続された後に、電源ピンが接続されるために、制御基板の各素子類には、必ず定格電圧が印加されて、過大電圧は印加されないので、前記各素子類の損傷が一層確実に防止される。
【００１２】
また、第５解決手段は、第１ないし第３解決手段において、グランドピン、信号ピン、電源ピンの３種類で構成される複数のオスピン又はこれと対応する複数のメスピンの少なくとも一方は、コネクタの接続時にグランドピンが先に接続され、他のピンは前記グランドピンよりも後にほぼ同時に接続されるように、グランドピンのみがコネクタの着脱方向に沿ってずれて配置されていることを特徴としている。第５解決手段によれば、グランドピン以外のコネクタピンは、同一面上に配置しているため、コネクタの着脱時においてオスピンが損傷されにくくなると共に、その構成が簡単になる。
【００１３】
また、第６解決手段は、第４解決手段において、コネクタ本体の先端面、及びこれと密着する相手部材の先端面は、複数のオスピン又はこれと対応する複数のメスピンの先端位置に対応して、コネクタの着脱方向と直交する方向に対して傾斜していて、３種類のオスピン又はメスピンの先端は、コネクタ本体の先端の傾斜面と平行な同一面上に配置されていることを特徴としている。第６解決手段によれば、全てのオスピン又はメスピンの先端が同一面上に配置されているため、コネクタの着脱時におけるコネクタピンの損傷、折損を防止できる。
【００１４】
【発明の実施の形態】
以下、実施形態を挙げて、本発明を更に詳細に説明する。図１は本発明に係るパチンコ機の背面図、図２はパチンコ機の各制御基板Ｂ１  〜Ｂ６  の接続を示すブロック図、図３は第１実施形態のコネクタＣ１  の斜視図、図４は同じく平面断面図である。図１に示されるように、パチンコ機の背面部の右上部には、電源基板Ｂ１  が取付けられていて、その下方には、主制御基板Ｂ２  、払出制御基板Ｂ３  、音声制御基板Ｂ４  、ランプ制御基板Ｂ５  、発射制御基板Ｂ６  が取付けられている。図２に示されるように、電源基板Ｂ１  と電源中継端子板５５、及び電源中継端子板５５と各制御基板Ｂ２  〜Ｂ６  とは、電源配線Ｗ１  とコネクタＣ１  とによって接続されており、主制御基板Ｂ２  と各制御基板Ｂ３  〜Ｂ６  とは、コマンド配線Ｗ２  とコネクタＣ１  とによって接続されている。これらのコネクタＣ１（第１実施形態のコネクタＣ１）は、各制御基板Ｂ１  〜Ｂ６  及び電源中継端子板５５のそれぞれの所定位置に取付けられた固定側コネクタＳ１  と、電源配線Ｗ１  の一端部に取付けられた着脱側コネクタＴ１  とから構成されている。そして、前記固定側コネクタＳ１  に、前記着脱側コネクタＴ１  が差し込まれることによって、各制御基板Ｂ１  〜Ｂ６  どうしが接続される。
【００１５】
図３に示されるように、第１実施形態のコネクタＣ１  では、固定側コネクタＳ１  に設けられたグランド用オスピンＰ１１、電源用オスピンＰ２１、各信号用オスピンＰ３１と、それらに対応して着脱側コネクタＴ１  に設けられたグランド用メスピンＰ１２、電源用メスピンＰ２２、各信号用メスピンＰ３２とにより、各コネクタピン（グランドピンＰ１  、電源ピンＰ２  、各信号ピンＰ３）が形成されている。なお、本明細書においては、各信号ピンＰ３（信号用オスピンＰ３１及び信号用メスピンＰ３２）は、グランドピンＰ１  に隣接するもののみを示している。
【００１６】
最初に、固定側コネクタＳ１  の構成について説明する。図１及び図２に示されるように、前記電源基板Ｂ１  の所定位置には、固定側コネクタＳ１  が取付けられている。この固定側コネクタＳ１  は、図３に示されるように、前面（着脱側コネクタＴ１  と相対向する面）が開口した箱状の固定側コネクタ本体１と、その奥側の面から前面に向かって（即ち、着脱側コネクタＴ１  の着脱方向Ｅに沿って）突設された多数本のオスピン（グランド用オスピンＰ１１、電源用オスピンＰ２１、各信号用オスピンＰ３１）とから構成されている。本実施形態の固定側コネクタＳ１  には、全部で１６本のオスピンＰ１１，Ｐ２１，Ｐ３１が、８本ずつ、高さ方向に二段となって配置されている。そして、上段の一端部（正面視における左端部）に配置されたオスピンはグランド用オスピンＰ１１であり、同じく他端部（右端部）に配置されたオスピンは電源用オスピンＰ２１であり、それ以外のオスピンは信号用オスピンＰ３１である。本実施形態の固定側コネクタＳ１  の場合、各オスピンＰ１１，Ｐ２１，Ｐ３１の外径及び突出長は、いずれも同一である。また、前記固定側コネクタ本体１におけるグランド用オスピンＰ１１の側の側面部は、後述する着脱側コネクタＴ１  の着脱側コネクタ本体２に設けられた位置決め用突起部３を嵌め込むために外側に突出されていて、前記位置決め用突起部３の大きさに対応する嵌合部４が形成されている。
【００１７】
次に、第１実施形態のコネクタＣ１  における着脱側コネクタＴ１  について説明する。図３に示されるように、着脱側コネクタＴ１  を構成する着脱側コネクタ本体２は、電気の絶縁体である樹脂材より成り、略直方体形状である。そして、その外周形状は、前述した固定側コネクタ本体１の内周形状よりも僅かに小さい略相似形状である。このため、固定側コネクタ本体１に着脱側コネクタ本体２を差し込むと、該着脱側コネクタ本体２は、僅かな隙間を介して固定側コネクタ本体１に嵌め込まれる。前記着脱側コネクタ本体２の前面部２ａには、各オスピンＰ１１，Ｐ２１，Ｐ３１が挿入される各メスピンＰ１２，Ｐ２２，Ｐ３２（後述）が、前記各オスピンＰ１１，Ｐ２１，Ｐ３１と同数だけ設けられている。そして、前記着脱側コネクタ本体２の一方側の側面部には、位置決め用突起部３が突出している。この位置決め用突起部３の高さは、着脱側コネクタ本体２の高さよりも少し低い。このため、前記着脱側コネクタ本体２は、正面視において、左右が非対称の形状となっている。前記着脱側コネクタ本体２に位置決め用突起部３が設けられていることにより、着脱側コネクタＴ１  を固定側コネクタＳ１  に差し込むときに、誤って左右が反対のまま差し込まれることが防止される。
【００１８】
図４に示されるように、各メスピンＰ１２，Ｐ２２，Ｐ３２（即ち、グランド用メスピンＰ１２、電源用メスピンＰ２２、各信号用メスピンＰ３２）は、着脱側コネクタＴ１  の着脱方向Ｅに沿って設けられていて、対応する各オスピンＰ１１，Ｐ２１，Ｐ３１の挿入をガイドするための挿入ガイド部５と、その奥側の部分に装着された金属パイプより成る導通端子部６とから成る。各挿入ガイド部５の内径は、各オスピンＰ１１，Ｐ２１，Ｐ３１の外径よりも少し大きい。また、各導通端子部６の内径は、各オスピンの外径とほぼ同一であり、各メスピンＰ１２，Ｐ２２，Ｐ３２に挿入された各オスピンＰ１１，Ｐ２１，Ｐ３１の先端部が、対応する導通端子部６に接触することによって、各コネクタピンＰ１  〜Ｐ３  が導通される構成である。そして、図３及び図４に示されるように、本実施形態のコネクタＣ１  では、各メスピンＰ１２，Ｐ２２，Ｐ３２のうち、正面視における上段の右端部のメスピンが、グランド用オスピンＰ１１を挿入させるグランド用メスピンＰ１２となっていて、同じく上段の左端部のメスピンが、電源用オスピンＰ２１を挿入させる電源用メスピンＰ２２となっている。それ以外のメスピンは、各信号用オスピンＰ３１を挿入させる信号用メスピンＰ３２である。
【００１９】
図４に示されるように、本実施形態のコネクタＣ１  では、グランド用メスピンＰ１２における挿入ガイド部５が最も短くなっていて、電源用メスピンＰ２２における挿入ガイド部５が最も長くなっている。即ち、グランド用メスピンＰ１２における導通端子部６の長さＬ１  は、電源用メスピンＰ２２における導通端子部６の長さＬ２  よりも長い（Ｌ１  ＞Ｌ２）。換言すれば、グランド用メスピンＰ１２における導通端子部６の先端部６ａが、着脱側コネクタ本体２の前面部２ａに最も近く配置されていて、電源用メスピンＰ２２における導通端子部６の先端部６ａが最も遠く配置されている。このように、本実施形態のコネクタＣ１  では、各メスピンＰ１２，Ｐ２２，Ｐ３２における導通端子部６の先端部６ａが、コネクタＣ１  の着脱方向Ｅに沿って階段状にずれて配置されている。
【００２０】
第１実施形態のコネクタＣ１  の作用について説明する。図４に示されるように、電源基板Ｂ１  の所定位置に取付けられた固定側コネクタＳ１  に、着脱側コネクタＴ１  が差し込まれる。着脱側コネクタ本体２の外周形状は、固定側コネクタ本体１の内周形状に対応しているため、前記着脱側コネクタ本体２は、着脱方向Ｅにほぼ沿って差し込まれる。同時に、着脱側コネクタ本体２の側面部に設けられた位置決め用突起部３が、前記固定側コネクタ本体１の対応部分に設けられた嵌合部４に嵌まり込む。
【００２１】
前記着脱側コネクタＴ１  が固定側コネクタＳ１  に差し込まれるとき、各オスピンＰ１１，Ｐ２１，Ｐ３１も、対応する各メスピンＰ１２，Ｐ２２，Ｐ３２に挿入される。ここで、電源用メスピンＰ２２における導通端子部６の先端部６ａは、グランド用メスピンＰ１２における導通端子部６よりも奥側に配置されている。このため、図５の（イ）に示されるように、着脱側コネクタＴ１  が固定側コネクタＳ１  に差し込まれた直後の時点では、グランド用メスピンＰ１２に挿入されたグランド用オスピンＰ１１と、該グランド用オスピンＰ１１と対応する導通端子部６とが接触してグランドピンＰ１  が導通しても、電源用メスピンＰ２２に挿入された電源用オスピンＰ２１の先端部は、電源用メスピンＰ２２の挿入ガイド部５に配置されているため、前記電源用オスピンＰ２１と対応する導通端子部６とは未接触の状態（即ち、電源ピンＰ２  が未導通の状態）である。これは、電源ピンＰ２  よりも先にグランドピンＰ１  が導通されることを示している。
【００２２】
更に、着脱側コネクタＴ１  が差し込まれると、図５の（ロ）に示されるように、グランド用オスピンＰ１１に隣接する各信号用オスピンＰ３１が順次、対応する信号用メスピンＰ３２に挿入され、対応する導通端子部６に接触し、最後に、電源用オスピンＰ２１が対応する導通端子部６に接触する。このとき、グランド用オスピンＰ１１は、対応する導通端子部６と接触していて、グランドピンＰ１  の導通状態が保持されている。このように、本実施形態のコネクタＣ１  では、着脱側コネクタＴ１  を固定側コネクタＳ１  に差し込むときに各コネクタピンＰ１  〜Ｐ３  は、グランドピンＰ１  、各信号ピンＰ３  、電源ピンＰ２  の順で導通される。この結果、パチンコ機の電源投入状態で、しかも、固定側コネクタＳ１  に対して着脱側コネクタＴ１  が斜めの状態で差し込まれる場合であっても、電源ピンＰ２  が導通される時点では、既にグランドピンＰ１  が導通されていて、下流側の制御基板Ｂ２  〜Ｂ６  に過電流が流れることが防止される。
【００２３】
また、電源投入状態で着脱側コネクタＴ１  が抜かれる場合、各コネクタピンＰ１  〜Ｐ３  は、電源ピンＰ２  、各信号ピンＰ３  、グランドピンＰ１  の順で導通が遮断される。即ち、最後にグランドピンＰ１  の導通が遮断される。このため、電源ピンＰ２  のみが導通されている状態が生じなくなり、この場合であっても、下流側の制御基板Ｂ２  〜Ｂ６  に過電流が流れることが防止される。
【００２４】
上記した第１実施形態では、着脱側コネクタＴ１  に各メスピンＰ１２，Ｐ２２，Ｐ３２が設けられていて、しかも、それらの導通端子部６の先端部６ａを、着脱方向Ｅに沿ってずらして配置させた形態であり、前記着脱側コネクタＴ１  が差し込まれる固定側コネクタＳ１  の構成は、従来と同一である。このため、固定側コネクタＳ１  を変更する必要がないという利点がある。また、固定側コネクタＳ１  における各オスピンＰ１１，Ｐ２１，Ｐ３１の先端部が、同一面に配置されているため、各オスピンＰ１１，Ｐ２１，Ｐ３１は、対応する挿入ガイド部５に挿入されてガイドされる。これにより、着脱側コネクタＴ１  が無造作に差し込まれても、各オスピンＰ１１，Ｐ２１，Ｐ３１を折り曲げたり、損傷させたりするおそれが少ない。しかし、図６に示される第２実施形態のコネクタＣ２  のように、着脱側コネクタＴ１  における各導通端子部６の先端部６ａだけでなく、固定側コネクタＳ１  における各オスピンＰ１１，Ｐ２１，Ｐ３１の突出長（即ち、各オスピンＰ１１，Ｐ２１，Ｐ３１の先端部の位置）を、着脱方向Ｅに沿ってずらして配置させても構わない。当然のことながら、グランド用オスピンＰ１１の突出長は、電源用オスピンＰ２１の突出長よりも長い。この場合、グランドピンＰ１  が電源ピンＰ２  よりも先に導通される状態が、より確実に実現される。
【００２５】
更に、図７に示される第３実施形態のコネクタＣ３  のように、着脱側コネクタＴ１  におけるグランド用メスピンＰ１２の導通端子部６の先端部６ａのみを、着脱側コネクタ本体２の前面部２ａに接近させて配置し、電源用メスピンＰ２２及び各信号用メスピンＰ３２の各導通端子部６の先端部６ａを、着脱側コネクタ本体２の奥側の同一面内に配置させても構わない。即ち、グランド用メスピンＰ１２における導通端子部６の長さＬ１  は、電源用メスピンＰ２２及び信号用メスピンＰ３２における各導通端子部６の長さＬ２  よりも長い（Ｌ１  ＞Ｌ２）。この実施形態のコネクタＣ３  の場合、グランド用メスピンＰ１２以外の各導通端子部６の長さが同一なので、コネクタＣ３  の製作が簡単になるという利点がある。
【００２６】
次に、第４実施形態のコネクタＣ４  について説明する。上記した第１ないし第３実施形態のコネクタＣ１  〜Ｃ３  は、固定側コネクタＳ１  に各オスピンＰ１１，Ｐ２１，Ｐ３１が設けられ、着脱側コネクタＴ１  に各メスピンＰ１２，Ｐ２２，Ｐ３２が設けられた場合である。しかし、逆の場合であっても構わない。図８に示されるように、この実施形態のコネクタＣ４  では、着脱側コネクタＴ２  の着脱側コネクタ本体７に各オスピン（グランド用オスピンＰ１１、電源用オスピンＰ２１、各信号用オスピンＰ３１）が設けられていて、固定側コネクタＳ２  の固定側コネクタ本体８に各メスピン（グランド用メスピンＰ１２、電源用メスピンＰ２２、各信号用メスピンＰ３２）が設けられている。前記着脱側コネクタ本体７は、前面部が開口した箱状であり、その内側の部分に、着脱側コネクタＴ２  の着脱方向Ｅに沿って多数本のオスピンＰ１１，Ｐ２１，Ｐ３１が突設されている。各オスピンＰ１１，Ｐ２１，Ｐ３１の先端部は、前記着脱方向Ｅに沿ってずれて配置されていて、グランド用オスピンＰ１１の突出長Ｌ３  が最も長く、電源用オスピンＰ２１の突出長Ｌ４  が最も短い。そして、固定側コネクタＳ２  の固定側コネクタ本体８は、略直方体ブロック状であり、各オスピンＰ１１，Ｐ２１，Ｐ３１に対応する各メスピンＰ１２，Ｐ２２，Ｐ３２が設けられている。各メスピンＰ１２，Ｐ２２，Ｐ３２には、同一長さの各導通端子部９が取付けられていて、それらの先端部９ａの位置は同一である。各オスピンＰ１１，Ｐ２１，Ｐ３１と、対応する各メスピンＰ１２，Ｐ２２，Ｐ３２によって各コネクタピン（グランドピンＰ１  、電源ピンＰ２  、各信号ピンＰ３  ）が形成されているのは、第１実施形態のコネクタＣ１  と同様である。
【００２７】
この実施形態のコネクタＣ４  であっても、着脱側コネクタＴ２  の差込時においては、第１実施形態のコネクタＣ１  と同様に、常に、電源ピンＰ２  よりも先にグランドピンＰ１  が導通される。この結果、パチンコ機の電源投入状態でコネクタＣ４  が接続されても、電源ピンＰ２  が導通される時点では、既にグランドピンＰ１  が導通されていて、下流側の制御基板Ｂ１  〜Ｂ６  に過電流が流れることが防止される。
【００２８】
また、図９に示される第５実施形態のコネクタＣ５  のように、各オスピンＰ１１，Ｐ２１，Ｐ３１のうち、グランド用オスピンＰ１１のみをより突出させ、電源用オスピンＰ２１及び各信号用オスピンＰ３１の先端部を同一面内に配置させてもよい。この場合、グランド用オスピンＰ１１の突出長Ｌ３  は、それ以外のオスピンＰ２１，Ｐ３１の突出長Ｌ４  よりも長いため（Ｌ３  ＞Ｌ４）、グランドピンＰ１  が先に導通されるという利点を損なうことなく、コネクタＣ５  の製作が簡単になるという利点がある。
【００２９】
更に、図１０に示される第６実施形態のコネクタＣ６  のように、各オスピンＰ１１，Ｐ２１，Ｐ３１だけでなく、各メスピンＰ１２，Ｐ２２，Ｐ３２における導通端子部９の先端部９ａの位置を、着脱方向Ｅに沿ってずらして配置させても構わない。
【００３０】
次に、第７実施形態のコネクタＣ７  について説明する。この実施形態のコネクタＣ７  は、コネクタＣ７  を構成する固定側コネクタＳ３  の固定側コネクタ本体１１と、同じく着脱側コネクタＴ３  の着脱側コネクタ本体１２のそれぞれの前面部１１ａ，１２ａ  を斜めに切除した形態である。このため、各前面部１１ａ，１２ａ  は、着脱方向Ｅと直交する方向に傾斜している。そして、着脱側コネクタＴ３  に設けられた各メスピンＰ１２，Ｐ２２，Ｐ３２における各導通端子部１３の先端部１３ａも、着脱方向Ｅに沿ってずれて配置されている。前記固定側コネクタ本体１１には、各オスピンＰ１１，Ｐ２１，Ｐ３１が突出していて、それらの先端部は、固定側コネクタ本体１１の前面部１１ａと平行な同一面上に配置されている。
【００３１】
この実施形態のコネクタＣ７  の場合であっても、グランドピンＰ１  が電源ピンＰ２  よりも先に導通されるという作用効果が奏される。しかも、固定側コネクタ本体１１の前面部１１ａと着脱側コネクタ本体１２の前面部１２ａは、同一角度で傾斜しているため、作業者は目視によってコネクタＣ７  の左右方向を判別でき、コネクタＣ７  の左右方向を誤って差し込むおそれを少なくしたまま、コネクタＣ７  の形状を簡単なものにすることができる。
【００３２】
図１１に示される実施形態では、固定側コネクタＳ１  に各オスピンＰ１１，Ｐ２１，Ｐ３１が設けられていて、着脱側コネクタＴ３  の側に各メスピンＰ１２，Ｐ２２，Ｐ３２が設けられている。しかし、固定側コネクタＳ１  に各メスピンＰ１２，Ｐ２２，Ｐ３２が設けられていて、着脱側コネクタＴ３  に各オスピンＰ１１，Ｐ２１，Ｐ３１が設けられている場合であっても構わない。
【００３３】
上記した各実施形態のコネクタＣ１  〜Ｃ７  においては、各オスピンＰ１１，Ｐ２１，Ｐ３１と各メスピンＰ１２，Ｐ２２，Ｐ３２とが同数の場合である。しかし、それらの数が異なっている（オスピンＰ１１，Ｐ２１，Ｐ３１の数が、メスピンＰ１２，Ｐ２２，Ｐ３２の数よりも少ない）場合であっても構わない。
【００３４】
本発明に係るコネクタは、パチンコ機等の遊技機に限定して使用されるものではなく、他の機器にも使用可能であり、遊技機の場合と同様に制御基板類上の素子類の損傷を効果的に防止できる。また、グランドピンと他のコネクタピンとが容易に識別されるように、例えば、グランド用オスピンＰ１１の外径を変えたり、該グランド用オスピンＰ１１を着色等の手段によりマーキングしたりすることも可能である。このように構成すれば、コネクタを逆に接続してしまうことが防止でき、各コネクタピンの配置と併せて制御基板類上の素子類の損傷をより効果的に防止することができる。
【００３５】
【発明の効果】
本発明は、コネクタを構成する複数のコネクタピンは、オスピンと、該オスピンが挿入されて導通するメスピンとから成り、前記コネクタを介して制御基板類が接続される遊技機であって、複数のコネクタピンを構成する電源ピンとグランドピンとは、コネクタの接続時にグランドピンが最初に接続されるように、複数のオスピンと対応する複数のメスピンとの少なくとも一方が、コネクタの着脱方向に沿ってずれて配置されていることを特徴としている。このため、コネクタの接続時において、特定のコネクタピンは、他のコネクタピンよりも時間差をもって先に導通される。この結果、次に示す効果が奏される。（１）遊技機に電源が投入された状態で誤ってコネクタが接続されても、下流側の制御基板類の素子類を破壊するおそれがない。（２）同様な状態で誤ってコネクタが抜かれても、上記と逆の順序で導通が遮断され、（１）の場合と同一の効果が奏される。
【図面の簡単な説明】
【図１】本発明に係るパチンコ機の背面図である。
【図２】パチンコ機の各制御基板Ｂ１  〜Ｂ６  の接続を示すブロック図である。
【図３】第１実施形態のコネクタＣ１  の斜視図である。
【図４】同じく平面断面図である。
【図５】（イ）はグランドピンＰ１  が導通された状態の作用説明図であり、（ロ）は電源ピンＰ２  が導通された状態の作用説明図である。
【図６】第２実施形態のコネクタＣ２  の平面断面図である。
【図７】第３実施形態のコネクタＣ３  の平面断面図である。
【図８】第４実施形態のコネクタＣ４  の平面断面図である。
【図９】第５実施形態のコネクタＣ５  の平面断面図である。
【図１０】第６実施形態のコネクタＣ６  の平面断面図である。
【図１１】第７実施形態のコネクタＣ７  の平面断面図である。
【図１２】従来のコネクタＣ’が斜めに差し込まれる状態を示す図である。
【符号の説明】
Ｂ１  ：電源基板（制御基板類）
Ｂ２  ：主制御基板（制御基板類）
Ｂ３  ：払出制御基板（制御基板類）
Ｂ４  ：音声制御基板（制御基板類）
Ｂ５  ：ランプ制御基板（制御基板類）
Ｂ６  ：発射制御基板（制御基板類）
Ｃ１  〜Ｃ７  ：コネクタ
Ｅ：着脱方向
Ｐ１  ：グランドピン（コネクタピン）
Ｐ２  ：電源ピン（コネクタピン）
Ｐ３  ：信号ピン（コネクタピン）
Ｐ１１：グランド用オスピン（オスピン）
Ｐ２１：電源用オスピン（オスピン）
Ｐ３１：信号用オスピン（オスピン）
Ｐ１２：グランド用メスピン（メスピン）
Ｐ２２：電源用メスピン（メスピン）
Ｐ３２：信号用メスピン（メスピン）
Ｓ１  〜Ｓ３  ：固定側コネクタ（相手部材）
Ｔ１  〜Ｔ３  ：着脱側コネクタ（コネクタ）
１，８，１１：固定側コネクタ本体（コネクタ本体）
２，７，１２：着脱側コネクタ本体（コネクタ本体）
２ａ，１２ａ  ：前面部（先端面）
【図１】
2004337475.tif 000003
【図２】
2004337475.tif 000004
【図３】
2004337475.tif 000005
【図４】
2004337475.tif 000006
【図５】
2004337475.tif 000007
【図６】
2004337475.tif 000008
【図７】
2004337475.tif 000009
【図８】
2004337475.tif 000010
【図９】
2004337475.tif 000011
【図１０】
2004337475.tif 000012
【図１１】
2004337475.tif 000013
【図１２】
2004337475.tif 000014